(57)【要約】【課題】  ブロック本体の両側面の前後両側に形成した縦板状の張出部に対し目地を不要にするため目地用突部を突設し、なおかつ、製造工程上、不可避的に発生するバリがあっても隣り合うもの同士が隙間なく突き合わさるコンクリート製横筋ブロックを提供する。【解決手段】  ブロック本体１の両側面の前後両側に張出部２ａ〜２ｄを形成し、さらにブロック本体１の上面に横筋用の溝３を形成してなるコンクリート製横筋ブロックＹにおいて、一方の側面にある二つの張出部２ａ，２ｂに、目地幅相当の出幅を有し且つ張出部２ａ，２ｂの外側角部に対し一段下がった形態の目地用突部４，４を一体に形成し、さらに張出部２ａ，２ｂの内側角部と前記目地用突部４，４の内側面の間にバリ５ａ，５ｂが臨む遊び段部７を設けるようにした。【選択図】        図１
2006161369.tif 000002
【特許請求の範囲】
【請求項１】
ブロック本体の両側面の前後両側に縦板状の張出部を形成し、さらにブロック本体の上面に横筋用の溝を形成してなるコンクリート製横筋ブロックにおいて、
一方の側面にある二つの張出部か又は一方の側面にある前又は後側の張出部と他方の側面にある後又は前側の張出部に、目地幅相当の出幅を有し且つ張出部の外側角部に対し一段下がった形態の目地用突部を一体に形成し、さらに張出部の内側角部と前記目地用突部の内側面の間にバリが臨む遊び段部を設けてなることを特徴とするコンクリート製横筋ブロック。
【請求項２】
ブロック本体の両側面の前後両側に縦板状の張出部を形成し、さらにブロック本体の上面に横筋用の溝を形成してなるコンクリート製横筋ブロックにおいて、
一方の側面にある二つの張出部か又は一方の側面にある前又は後側の張出部と他方の側面にある後又は前側の張出部に、目地幅相当の出幅を有し且つ張出部の外側角部に対し一段下がった形態の目地用突部を一体に形成し、さらに目地用突部を設けない側の張出部の内側角部にバリが臨む遊び段部を設けてなることを特徴とするコンクリート製横筋ブロック。
【請求項３】
請求項１又は２記載のコンクリート製横筋ブロックを複数個使用し、各横筋ブロックの向きを統一して隣り合うブロック同士の張出部と目地用突部の各端面が突き合わさるように配設してなる構築物。
【請求項４】
請求項１記載のコンクリート製横筋ブロックの製造方法であって、プレス用成形型の前記ブロック本体の上面に対応する位置にＵ芯を設置した後、その成形型に原料骨材を投入してプレス成形し、その後Ｕ芯を前記目地用突部のない張出部側から軸方向に引っ張って成形型から引き抜いた後、脱型させるようにしたことを特徴とするコンクリート製横筋ブロックの製造方法。
【発明の詳細な説明】
【技術分野】
【０００１】
本発明はコンクリート製横筋ブロック及びそのブロックを使った構築物並びにコンクリート製横筋ブロックの製造方法に関する。
【背景技術】
【０００２】
コンクリート製ブロックは、塀や建物などの構築物を構成する材料として幅広く使われている。このコンクリート製ブロックには、図１１（ａ）に示したように、四角いブロック本体１の両側面の前後両側に縦板状の張出部２ａ〜２ｄを形成した最も一般的な基本ブロックＸと、その基本ブロックＸの上面に横筋が通る溝３を設けた横筋ブロックＹがあり、図示しないがそれ以外にも構築物の隅に使用する「隅用ブロック」や透かしの入った「透かしブロック」、構築物の頂部を形成する「かさ木ブロック」などがある。
【０００３】
しかしてコンクリート製ブロックは、モルタル製の目地を形成しつつ縦横に並べて塀などを構築するが、目地を形成する作業に熟練を要するため、作業者の技量によって構築物の出来映えに顕著な差が現れる。また、如何に熟練者であっても縦方向の目地の形成には時間が掛かる。
【発明の開示】
【発明が解決しようとする課題】
【０００４】
そこで本発明者は図１０（ａ）に示したように、一方の側面の張出部２ａ，２ｂに、目地幅相当の出幅を有し且つ張出部２ａ，２ｂの外側角部に対し一段下がった形態の目地用突部４，４を一体に形成してコンクリート製基本ブロックＸを製造した。そして、このコンクリート製基本ブロックＸの向きを統一して隣り合うブロック同士の張出部２ｃ，２ｄと目地用突部４，４の各端面を突き合わせたところ、目地用突部４が目地の代用品として機能したため、目地を形成する作業が不要になった。
【０００５】
ところがコンクリート製横筋ブロックＹに対し図１０（ｂ），（ｃ）のように同様の目地用突部４を形成したところ、目地用突部４の縁と張出部２ｃ，２ｄの夫々の縁にバリ５ａ，５ｂが発生し、隣り合うブロック同士の間にバリ５ａ，５ｂが噛み込んで隙間ができる不具合が発生した。
このバリ５ａ，５ｂは、コンクリート製横筋ブロックＹに前記した溝３を形成する際、不可避的に発生する。すなわちコンクリート製ブロックは、プレス用成形型に原料骨材を投入し、これをプレス機で押し固める方法で形成するが、横筋ブロックＹには横筋を通す特有の溝３があるため、原料骨材を投入する前に成形型にＵ芯（図５符号６参照。）を通し、プレス後に成形型からＵ芯６を引き抜く工程を必要とし、このＵ芯６と成形型が擦れ合う僅かな隙間から原料骨材が押し出されてバリ５ａ，５ｂとなる。なお、Ｕ芯６を引き抜く際に原料骨材が横滑りするため、バリ５ｂの方がバリ５ａに比べて大きくなりやすい。
【０００６】
本発明は上記に鑑みなされたもので、その目的は、製造工程上、不可避的に発生するバリがあっても目地用突部と張出部が隙間なく突き合わさるコンクリート製横筋ブロックを提供することにある。
【課題を解決するための手段】
【０００７】
請求項１に記載したように、ブロック本体の両側面の前後両側に縦板状の張出部を形成し、さらにブロック本体の上面に横筋用の溝を形成してなるコンクリート製横筋ブロックにおいて、一方の側面にある二つの張出部か又は一方の側面にある前側の張出部と他方の側面にある後側の張出部に、目地幅相当の出幅を有し且つ張出部の外側角部に対し一段下がった形態の目地用突部を一体に形成し、さらに張出部の内側角部と前記目地用突部の内側面の間にバリが臨む遊び段部を設けてなるコンクリート製横筋ブロックを提供する。
【０００８】
また、請求項２に記載したように、ブロック本体の両側面の前後両側に縦板状の張出部を形成し、さらにブロック本体の上面に横筋用の溝を形成してなるコンクリート製横筋ブロックにおいて、一方の側面にある二つの張出部か又は一方の側面にある前側の張出部と他方の側面にある後側の張出部に、目地幅相当の出幅を有し且つ張出部の外側角部に対し一段下がった形態の目地用突部を一体に形成し、さらに目地用突部を設けない側の張出部の内側角部にバリが臨む遊び段部を設けてなるコンクリート製横筋ブロックを提供する。
【０００９】
また、請求項１又は２記載のコンクリート製横筋ブロックを複数個使用し、各横筋ブロックの向きを統一して隣り合うブロック同士の張出部と目地用突部の各端面が突き合わさるように配設してなる構築物を提供する。
【００１０】
また、請求項４に記載したように、請求項１記載のコンクリート製横筋ブロックの製造方法であって、プレス用成形型の前記ブロック本体の上面に対応する位置にＵ芯を設置した後、その成形型に原料骨材を投入してプレス成形し、その後Ｕ芯を前記目地用突部のない張出部側から軸方向に引っ張って成形型から引き抜いた後、脱型させるようにしたコンクリート製横筋ブロックの製造方法を提供する。
【発明の効果】
【００１１】
コンクリート製横筋ブロックのバリの発生位置は、前記のようにＵ芯と成形型の擦れ合う部分にほぼ限定されており、従ってポイントが特定できる。本発明のコンクリート製横筋ブロックは、そのバリ発生ポイントとなる部位に対応させて遊び段部を形成したため、隣り合うコンクリート製横筋ブロック同士のバリがその遊び段部に収まる。従ってブロック間にバリの噛み込みによる不体裁な隙間が生じない。
また、このようなコンクリート製横筋ブロックを使用した請求項３の構築物は、作業者の熟練度に拘わらず工期が短く仕上がりが綺麗になる。
【００１２】
また、コンクリート製横筋ブロックのバリは、Ｕ芯が抜け出る側の方が引き込まれる側より大きくなりやすいから、請求項４に記載したようにＵ芯を目地用突部のない張出部側から引き抜くようにすれば、目地用突部側のバリを小さく抑制することができる。逆に張出部側のバリは大きくなるが、万一そのバリが遊び段部に収まり切れない程の大きさになったとしても、張出部側のバリは外部に単純に突き出ているため叩いて割る等の処理が簡単に行える。
【発明を実施するための最良の形態】
【００１３】
以下に本発明の実施の形態を図面を参照しつつ説明する。なお、図１は一部拡大図を含む横筋ブロックの斜視図、図２は一部拡大図を含む横筋ブロックの縦断面図、図３は横筋ブロックの側面図、図４（ａ）は横筋ブロックの平面図、図４（ｂ）は図４（ａ）を拡大した中間省略平面図、図５は逆さにした状態を示す横筋ブロックの斜視図、図６は基本ブロックの斜視図、図７は塀の構築工程を説明する分解斜視図、図８は横筋ブロック同士の接合部を示す一部拡大平面図、図９は他の形態を示す横筋ブロックの平面図である。
【００１４】
コンクリート製横筋ブロック（以下単に横筋ブロックという。）Ｙは、図１に示したように、ブロック本体１の両側面の前後両側に縦板状の張出部２ａ，２ｂ，２ｃ，２ｄを形成し、さらにブロック本体１の上面に後述する横筋を通すための上向きの溝３を形成してなる。なお、この溝３の幅は張出部２ａ，２ｂ及び張出部２ｃ，２ｄの間の間隔とほぼ一致する。
【００１５】
前記ブロック本体１の一方の側面にある二つの張出部２ａ，２ｂには、第一に目地幅相当の出幅を有し第二に張出部２ａ，２ｂの外側角部に対し一段下がった形態の目地用突部４が一体に形成されている。そして、張出部２ａ，２ｂの内側角部と前記目地用突部４の内側面の間に遊び段部７が設けられている。従って実施形態の張出部２ａ，２ｂの端面は、目地用突部４と遊び段部７によって平面視凸形態になっている。一方、ブロック本体１の他方の側面にある二つの張出部２ｃ，２ｄの端面は平らである。
【００１６】
なお、上記横筋ブロックＹと組み合わせて使用する基本ブロックＸは、図６に示したように上記と同様の目地用突部４と遊び段部７が形成されている。しかし、基本ブロックＸは、成形に際しＵ芯６を使用しないため、そのようなＵ芯６に起因するバリは元々発生しない。従って図１０（ａ）のように目地用突部４だけを設けて遊び段部７を設けないようにしてもよい。
【００１７】
しかして基本ブロックＸは、プレス用成形型（図示せず）に原料骨材を投入し、これをプレス機で押し固めて成形する。これに対し横筋ブロックＹは、横筋を通すための溝３があるため、原料骨材を投入する前に成形型にＵ芯６（図５参照。）を通し、プレス後に成形型からＵ芯６を引き抜いて成形する。従って、Ｕ芯６と成形型が擦れ合う僅かな隙間から原料骨材が押し出され図１に示したように溝３と立面の境界部にバリ５ａ，バリ５ｂが発生する。なお、Ｕ芯６の引き抜きは図５矢示ａのように目地用突部４のない張出部２ｃ，２ｄ側から軸方向に引っ張るようにして行うため、Ｕ芯６の抜け出しにより原料骨材が引きずられて横滑りするからバリ５ｂは大きくなりやすい。
【００１８】
次ぎに本発明の横筋ブロックＹと基本ブロックＸとを組み合わせて例えば塀を構築する場合について説明する。通常、ブロック塀を構築する場合は、図示しないが、鉄筋コンクリートの基礎にブロック１個分の間隔を置いて複数本の縦筋を植設し、さらにその縦筋同士を水平な横筋で連結して鉄筋の芯を作る。そして先ず、前記基礎の上に複数個の基本ブロックＸ，Ｘ…を、図７のように例えば目地用突部４，４の向きを右側に統一して横一列に並べ、続いて必要な段数分基本ブロックＸ，Ｘ…を積み上げる。
【００１９】
次ぎに横筋が横断する箇所で基本ブロックＸ上に横筋ブロックＹを積む。その際、横筋ブロックＹの上面の溝３に横筋を通す。前記のように横筋ブロックＹにはバリ５ａ，５ｂが出来やすいが、一方のバリ５ａは成形当初から遊び段部７の中にあって目地用突部４の端より引っ込んでいるため、図８に示したように隣の横筋ブロックＹの張出部２ｃ，２ｄに当たらない。一方、横筋ブロックＹの張出部２ｃ，２ｄにバリ５ｂが出来ている場合、そのバリ５ｂも隣の横筋ブロックＹの遊び段部７に臨むため、横筋ブロックＹの目地用突部４にバリ５ｂが当たらない。従って横筋ブロックＹに、製造工程上、不可避的に発生するバリ５ａ，５ｂがあっても、目地用突部４と張出部２ｃ，２ｄが隙間なく綺麗に突き合わさる。通常起こり得ないが、もし万一遊び段部７に収まり切れない程大きいバリ５ｂが出来た場合は、バリ５ｂを割るなどして遊び段部７に収まる大きさにする。この場合、バリ５ｂは張出部２ｃ，２ｄから単純に飛び出しているため、遊び段部７にあるバリ５ａを削るより容易である。
【００２０】
次ぎに横筋ブロックＹの上の溝３にモルタルを充填して横筋を埋め、さらにその上に基本ブロックＸを必要な段数分積上げ、以下同様の積上げをして最終的にかさ木ブロック（図示せず）を載せる。
【００２１】
以上のようにして構築したブロック塀には、次の（ａ）〜（ｄ）のような特徴がある。
（ａ）目地用突部４が目地の代用として機能するため、目地を作る必要がない。従って目地を作る作業が省略できるから短い工期で仕上げることができる。
（ｂ）目地用突部４は型で成形するから出幅はもちろん形状にバラツキがないため、一定の目地幅で綺麗に仕上げることができる。
（ｃ）横筋ブロックＹに出来得るバリ５ａ，５ｂが遊び段部７の空間スペースに吸収されるため、目地用突部４と、隣り合う横筋ブロックＹの張出部２ｃ，２ｄとの間にバリ５ａ，５ｂによる隙間が生じない。従って配列の正確さが損なわれず且つ隙間による不体裁さも生じない。
（ｄ）目地用突部４の出幅を目地幅相当とし、単一の目地用突部４で一つの目地を形作るようにしたため、目地部分に不自然な合わせ目が生じない。ちなみに、目地用突部４の出幅を目地幅相当の例えば１／２とし、且つ、そのような目地用突部４を全ての張出部２ａ，２ｂ，２ｃ，２ｄに設ける構造も考えられるが、そうすると目地部分の中央に目地用突部同士の合わせ目ができるため不自然になる。
【００２２】
以上本発明を実施の形態について説明したが、もちろん本発明は上記実施形態に限定されるものではない。例えば実施形態では、一方の側面にある二つの張出部２ａ，２ｂに目地用突部４を形成したが、図９に示したように一方の側面にある前側の張出部２ａと他方の側面にある後側の張出部２ｃに前記目地用突部４と遊び段部７を設けるようにしてもよい。
また、実施形態では遊び段部７を張出部２ａ，２ｂの内側角部と目地用突部４の内側面の間に設けたが、目地用突部４を図１０（ｂ）のような遊び段部７のない形態とし、それとは反対側の張出部２ｃ，２ｄの内側角部に遊び段部７を設けるようにしても上記と同様の効果が得られる。
【図面の簡単な説明】
【００２３】
【図１】一部拡大図を含む横筋ブロックの斜視図である。
【図２】一部拡大図を含む横筋ブロックの縦断面図である。
【図３】横筋ブロックの側面図である。
【図４】（ａ）は横筋ブロックの平面図、（ｂ）は（ａ）を拡大した中間省略平面図である。
【図５】逆さにした状態を示す横筋ブロックの斜視図である。
【図６】基本ブロックの斜視図である。
【図７】塀の構築工程を説明する分解斜視図である。
【図８】横筋ブロック同士の接合部を示す一部拡大平面図である。
【図９】他の形態を示す横筋ブロックの平面図である。
【図１０】（ａ）は改良前の基本ブロックを示す平面図、（ｂ）は改良前の横筋ブロックを示す平面図、（ｃ）は（ｂ）を拡大した中間省略平面図である。
【図１１】（ａ）は従来の基本ブロックを示す斜視図、（ｂ）は従来の横筋ブロックを示す斜視図である。
【符号の説明】
【００２４】
Ｙ  …コンクリート製横筋ブロック
１  …ブロック本体
２ａ，２ｂ，２ｃ，２ｄ…張出部
３  …溝
４  …目地用突部
５ａ，５ｂ…バリ
６  …Ｕ芯
７  …遊び段部
【図１】
2006161369.tif 000003
【図２】
2006161369.tif 000004
【図３】
2006161369.tif 000005
【図４】
2006161369.tif 000006
【図５】
2006161369.tif 000007
【図６】
2006161369.tif 000008
【図７】
2006161369.tif 000009
【図８】
2006161369.tif 000010
【図９】
2006161369.tif 000011
【図１０】
2006161369.tif 000012
【図１１】
2006161369.tif 000013